(57)【要約】【課題】従来技術に比較して高い信号対雑音比で受信信号を受信でき、しかもアンテナ素子に接続される伝送線路を簡単に配置できる電子機器を提供する。【解決手段】電子機器は、地上波テレビジョン受信回路３１を備える筐体１０と、地上波テレビジョン放送の放送信号を受信して地上波テレビジョン受信回路３１に出力するアンテナ素子１７を備える筐体１１とを備える。ここで、筐体１０と筐体１１とはヒンジ部１２により連結され、アンテナ素子１７と地上波テレビジョン受信回路３１とはコンデンサ１８により非接触状態で電磁的に結合される。【選択図】図１
2007195013.tif 000002
【特許請求の範囲】
【請求項１】
無線通信回路を備える第１の筐体と、
無線信号を受信して上記無線通信回路に出力するアンテナ素子を備え、上記第１の筐体に所定の連結位置で連結手段により連結された第２の筐体とを備えた電子機器において、
上記連結位置とは異なる位置で、上記アンテナ素子と上記無線通信回路とを非接触状態で電磁的に結合して上記無線信号を伝送する電磁結合手段を備えたことを特徴とする電子機器。
【請求項２】
上記電磁結合手段は、上記第１の筐体に設けられた第１の導体板と、上記第２の筐体に設けられた第２の導体板とを備えたコンデンサであることを特徴とする請求項１記載の電子機器。
【請求項３】
上記第１の導体板の表面と上記第２の導体板の表面とにそれぞれ、誘電体が挿入されたことを特徴とする請求項２記載の電子機器。
【請求項４】
上記電磁結合手段は、上記第１の筐体に設けられた第１のコイルと、上記第２の筐体に設けられた第２のコイルとを備えたトランスであることを特徴とする請求項１記載の電子機器。
【請求項５】
上記第１の筐体は映像信号を発生する画像処理手段をさらに備え、
上記第２の筐体は上記映像信号を表示する表示手段をさらに備え、
上記画像処理手段は、上記映像信号を上記連結手段に収容された信号ケーブルを介して上記表示手段に出力することを特徴とする請求項１乃至４記載のうちのいずれか１つに記載の電子機器。
【請求項６】
上記連結手段は、上記第２の筐体を上記第１の筐体に対して開閉可能に軸支するヒンジ部であることを特徴とする請求項５記載の電子機器。
【請求項７】
上記表示手段は液晶表示装置であることを特徴とする請求項５又は６記載の電子機器。
【発明の詳細な説明】
【技術分野】
【０００１】
本発明は、２つの筐体に分離された電子機器に関する。
【背景技術】
【０００２】
地上波デジタルテレビ放送の開始に伴い、携帯型の電子機器を用いてテレビ放送を受信する機会が従来に比べて格段に増加することが期待されている。従来のアナログテレビ放送の放送方式は主に屋内での受信を想定して定められているのに対し、地上波デジタルテレビ放送の放送方式であるＩＳＤＢ−Ｔ伝送方式は、家庭における固定受信だけでなく、自動車等の移動体での受信及び携帯機器による受信をも考慮して定められている。そのため、地上波デジタルテレビ放送を屋外で受信するユーザが増加することが予想される。地上波デジタルテレビ放送を受信するための機器として、携帯型液晶テレビ、携帯電話機、ノート型パソコン、携帯型ＤＶＤプレーヤ、携帯型ゲーム機等の種々の携帯型の電子機器が想定される。
【０００３】
図５は、従来技術に係るノート型パソコンの一部破断概略斜視図である。図５において、従来技術に係るノート型パソコンは、無線通信回路１６と画像処理回路１３とを内蔵する筐体１０と、その蓋の機能を有し、液晶ディスプレイ１４とアンテナ素子１７ａ，１７ｂとを備える筐体１１とを備えて構成される。ここで、アンテナ素子１７ａ，１７ｂは無線ＬＡＮ用のダイバーシティ受信方式のアンテナ装置であり、筐体１１内の上部左端部及び上部右端部にそれぞれ配置される。筐体１１に一体的に形成されたヒンジ円筒部１２ｂは、筐体１０に一体的に形成されたヒンジ円筒部１２ａ，１２ｃ（以下、ヒンジ円筒部１２ａ，１２ｂ，１２ｃを併せてヒンジ部１２という。）に挟持されて回動可能に軸支され、この構成により図５のノート型パソコンは、筐体１０に対して筐体１１を開いた展開状態と、筐体１０に対して筐体１１を対向させて閉じた折り畳み状態とを有する。従って、ノート型パソコンの使用時には、筐体１１は展開状態にあり、アンテナ素子１７ａ，１７ｂはノート型パソコンの最上部に位置するので、良好な電波の送受信が可能となるとともに、筐体１０の外部に突出しないので邪魔にならない。
【０００４】
無線通信回路１６は、ヒンジ部１２に収容される同軸ケーブル１８ａ，１８ｂを介して、それぞれアンテナ素子１７ａ、１７ｂにより受信された各無線信号を受信する（例えば、特許文献１参照）。さらに、画像処理回路１３は、無線通信回路１６により受信された無線信号から映像信号を復調し、同軸ケーブル１８ａ，１８ｂに近接してヒンジ部１２に収容される信号ケーブル１５ａ，１５ｂを介して、液晶ディスプレイ１４に出力して表示する。
【０００５】
【特許文献１】特開２００４−３３５１５７号公報。
【特許文献２】特開２００３−３７４３１号公報。
【発明の開示】
【発明が解決しようとする課題】
【０００６】
しかしながら、上記の構成を有するノート型パソコンにおいては、同軸ケーブル１８ａ，１８ｂをヒンジ部１２に収容するため、同軸ケーブル１８ａ，１８ｂの収容方法が複雑になるという問題があった。さらに、ヒンジ部１２には同軸ケーブル１８ａ，１８ｂに近接して、画像処理回路１３からの高周波信号を液晶ディスプレイ１４に出力するための信号ケーブル１５ａ，１５ｂが収容されるため、高周波信号の高調波ノイズとアンテナ素子１７ａ，１７ｂで受信する受信信号とが干渉し、アンテナ素子１７ａ，１７ｂでのＢＥＲ（Ｂｉｔ  Ｅｒｒｏｒ  Ｒａｔｅ）が比較的大きくなるという問題があった。さらに、この問題を解決するために、同軸ケーブル１８ａ，１８ｂ又は信号ケーブル１５ａ，１５ｂをヒンジ部１２の外側に配設すると、ヒンジ部１２の外側に配設されたケーブルが損傷したり他のものに引っかかったりするという新たな問題が生じた。
【０００７】
本発明の目的は以上の問題点を解決し、無線通信回路を備える筐体とアンテナ素子を備える筐体とを備える電子機器において、従来技術に比較して高い信号対雑音比で受信信号を受信でき、しかもアンテナ素子に接続される伝送線路を簡単に配置できる電子機器を提供することにある。
【課題を解決するための手段】
【０００８】
本発明に係る電子機器は、無線通信回路を備える第１の筐体と、無線信号を受信して上記無線通信回路に出力するアンテナ素子を備え、上記第１の筐体に所定の連結位置で連結手段により連結された第２の筐体とを備えた電子機器において、上記連結位置とは異なる位置で、上記アンテナ素子と上記無線通信回路とを非接触状態で電磁的に結合して上記無線信号を伝送する電磁結合手段を備えたことを特徴とする。
【０００９】
ここで、上記電子機器において、上記電磁結合手段は、上記第１の筐体に設けられた第１の導体板と、上記第２の筐体に設けられた第２の導体板とを備えたコンデンサであることを特徴とする。さらに、上記電子機器において、上記第１の導体板の表面と上記第２の導体板の表面とにそれぞれ、誘電体が挿入されたことを特徴とする。もしくは、上記電磁結合手段は、上記第１の筐体に設けられた第１のコイルと、上記第２の筐体に設けられた第２のコイルとを備えたトランスであることを特徴とする。
【００１０】
また、上記電子機器において、上記第１の筐体は映像信号を発生する画像処理手段をさらに備え、上記第２の筐体は上記映像信号を表示する表示手段をさらに備え、上記画像処理手段は、上記映像信号を上記連結手段に収容された信号ケーブルを介して上記表示手段に出力することを特徴とする。
【００１１】
さらに、上記電子機器において、上記連結手段は、上記第２の筐体を上記第１の筐体に対して開閉可能に軸支するヒンジ部であることを特徴とする。
【００１２】
またさらに、上記電子機器において、上記表示手段は液晶表示装置であることを特徴とする。
【発明の効果】
【００１３】
従って、本発明によれば、無線通信回路を備える筐体とアンテナ素子を備える筐体とを備える電子機器において、従来技術に比較して高い信号対雑音比で受信信号を受信でき、しかもアンテナ素子に接続される伝送線路を簡単に配置できる。
【発明を実施するための最良の形態】
【００１４】
以下、本発明に係る実施形態について図面を参照して説明する。なお、以下の各実施形態において、同様の構成要素については同一の符号を付している。
【００１５】
実施形態．
図１は、本発明の一実施形態に係る携帯型ＤＶＤプレーヤの一部破断概略斜視図である。また、図２は、図１の携帯型ＤＶＤプレーヤの展開状態における右奥端部の右側面から見た縦断面図である。図１及び図２において、実施形態に係る携帯型ＤＶＤプレーヤは、筐体１０と、その蓋の機能を有する筐体１１とを備えて構成される折り畳み型の電子機器である。筐体１１に一体的に形成されたヒンジ円筒部１２ｂは、筐体１０に一体的に形成されたヒンジ円筒部１２ａ，１２ｃ（以下、ヒンジ円筒部１２ａ，１２ｂ，１２ｃを併せてヒンジ部１２という。）に挟持されて回動可能に軸支される。この構成により実施形態に係る携帯型ＤＶＤプレーヤは、筐体１０に対して筐体１１を開いた使用時の状態である展開状態と、筐体１０に対して筐体１１を対向させて閉じた非使用時の状態である折り畳み状態とを有する。
【００１６】
筐体１０は、無線通信回路１６を含む地上波デジタルテレビジョン受信回路３１と、画像処理回路１３とを内蔵し、スピーカ４１をその上側の表面に備えて構成される。さらに、無線通信回路１６に、同軸ケーブル２０を介して円形の導体板２１が接続される。ここで、導体板２１は、例えば銅又はアルミニウム等の導電性材料によって形成され、片方の面に例えばＰＥＴ又はポリカーボネート等の誘電体２３ａを有し、誘電体２３ａの導体板２３ａと反対側の面は、例えばＰＥＴ等の誘電体材料によって形成される筐体１０の内壁に接触している。
【００１７】
また、筐体１１は、地上波デジタルテレビ放送を受信するためのホイップアンテナ装置であるアンテナ素子１７を内蔵し、折り畳み状態で内側になる面に液晶ディスプレイ１４を備えて構成される。ここで、アンテナ素子１７は筐体１１の右側の内壁及び上側の内壁に沿って配設され、アンテナ素子１７のヒンジ部１２に近い方の端部には円形の導体板２２が接続される。導体板２２は、例えば銅又はアルミニウム等の導電性材料によって形成され、片方の面に例えばＰＥＴ又はポリカーボネート等の誘電体２３ｂを有し、誘電体２３ｂの導体板２３ｂと反対側の面は、例えばＰＥＴ等の誘電体材料によって形成される筐体１１の内壁に接触している。さらに、筐体１０内の画像処理回路１３と筐体１１上の液晶ディスプレイ１４とは、ヒンジ部１２に収容される信号ケーブル１５を用いて接続される。
【００１８】
図２に示すように、携帯型ＤＶＤプレーヤの展開状態において、導体板２１と導体板２２とは誘電体２３ａ、筐体１０、空隙２６、誘電体２３ｂ及び筐体１１を介して近接して電磁的に結合するように対向して電磁結合手段であるコンデンサ１８を形成する。このとき、コンデンサ１８は同軸ケーブル２０の中心導体とアンテナ素子１７とを非接触状態で電磁的に結合する。ここで、アンテナ素子１７の給電点Ｑは導体板２１と同軸ケーブル２０の中心導体との接続点に設けられる。
【００１９】
なお、導体板２１及び導体板２２は、円形に限らず矩形であっても良い。また、誘電体２３ａ，２３ｂの比誘電率や厚さを変化させることによって、コンデンサ１８の静電容量を変化させて、アンテナ素子１７と無線通信回路１６との間の電磁的結合度及びアンテナ素子１７の静電容量を変化させることができる。例えば、アンテナ素子１７により受信される放送信号の周波数に対して、コンデンサ１８の静電容量が無視できる値になるように、誘電体２３ａ，２３ｂの比誘電率や厚さを調整しても良い。
【００２０】
また、実施形態においては給電点Ｑを導体板２１上に設けたが、導体板２１にアンテナ素子と給電ケーブルである同軸ケーブル２０の中心導体とをこの順番で接続し、アンテナ素子と同軸ケーブルの中心導体との接続点を給電点としても良い。さらに、給電点Ｑを無線通信回路１６上に設け、導体板２１を給電点Ｑに直接接続しても良い。
【００２１】
図３は、図１の携帯型ＤＶＤプレーヤが備える地上波デジタルテレビジョン受信回路の構成を示すブロック図である。図３において地上波デジタルテレビジョン受信回路３１は、無線通信回路１６であるフロントエンド部３２と、バックエンド部３３とを備えて構成される。
【００２２】
フロントエンド部３２は、アンテナ素子１７により受信され、携帯型ＤＶＤプレーヤの展開状態においてコンデンサ１８を介して入力される地上波デジタルテレビ放送の放送波３０から無線信号を発生し、無線信号から所定の放送番組の信号成分に対応する信号を選択するチューナ３４と、チューナ３４からの信号を復調してＭＰＥＧ（Moving Picture Experts Group）−ＴＳ（Transport Stream）パケット信号を発生するＯＦＤＭ（Orthogonal Frequency Division Multiplexing）復調器３５とを備えて構成される。ここで、ＭＰＥＧ−ＴＳパケット信号は、選択された放送番組の映像データ、音声データ及び字幕データ等のデータを含む。
【００２３】
バックエンド部３３は、ＯＦＤＭ復調器３５が発生したＭＰＥＧ−ＴＳパケット信号をＭＰＥＧ−ＴＳパケット信号のパケットヘッダに基づいて音声のパケット信号、映像のパケット信号及び字幕のパケット信号に振り分けるパケットフィルタ３６と、音声デコーダ３８、映像デコーダ３９及び字幕デコーダ４０を備えるデコーダ回路３７とを備えて構成される。ここで、音声デコーダ３８は、音声のパケット信号をデコードして音声信号を生成してスピーカ４１に出力する。また、字幕デコーダ４０は、字幕のパケット信号をデコードして字幕信号を生成し映像デコーダ３９に出力する。さらに、映像デコーダ３９は、映像のパケット信号をデコードして映像信号を生成し字幕デコーダ４０からの字幕信号と合成して、画像処理回路１３を介して液晶ディスプレイ１４に出力し、表示させる。
【００２４】
以上説明したように、本発明に係る実施形態では、本体１０内の無線通信回路１６と筐体１１内のアンテナ素子１７とを接続するためのケーブルを携帯型ＤＶＤプレーヤの外部に新たに配置することなく、従来技術に比較してアンテナ素子１７に接続される同軸ケーブル２０を簡単に配置できる。さらに、無線通信回路１６とアンテナ素子１７とを電磁的に結合するためのコンデンサ１８を、信号ケーブル１５を収容するヒンジ部１２と異なる位置に配置したので、従来技術に比較して信号ケーブル１５により伝送されるデジタルの高周波信号の高調波ノイズのアンテナ素子１７に対する影響を小さくでき、高い信号対雑音比で受信信号を受信できる。
【００２５】
変形例．
図４は、本発明の変形例に係る携帯型ＤＶＤプレーヤの展開状態における右奥端部の右側面から見た縦断面図である。変形例は実施形態に比較して、電磁結合手段であるコンデンサ１８をトランス１９に置き換えたことを特徴とする。以下、実施形態との相違点について詳述する。
【００２６】
図４において、トランス１９は筐体１０内に配置される１ターン又は数ターンのコイル２４と、筐体１１内に配置される１ターン又は数ターンのコイル２５とを備えて構成される。ここで、コイル２４の一端は同軸ケーブル２０の中心導体に接続され、他端は筐体１０内に接地される。コイル２５の一端はアンテナ素子１７に接続され、他端は筐体１１内に接地される。図４に示すように、携帯型ＤＶＤプレーヤの展開状態において、コイル２４とコイル２５とは空隙２６を介して近接して電磁的に結合するように対向し、トランス１９を形成する。ここで、アンテナ素子１７の給電点Ｑはコイル２４と同軸ケーブル２０の中心導体との接続点に設けられる。なお、コイル２４と同軸ケーブル２０との間にアンテナ素子を挿入接続し、そのアンテナ素子と同軸ケーブル２０の中心導体との接続点を給電点Ｑとしても良い。さらに、給電点Ｑを無線通信回路１６上に設け、コイル２４を給電点Ｑに直接接続しても良い。
【００２７】
なお、コイル２４及びコイル２５の各ターン数を多くすることによって、アンテナ素子１７と無線通信回路１６との電磁的結合度を大きくすることができる。好ましくは、コイル２４及びコイル２５の巻き数をそれぞれ数ターンとする。また、図４において、コイル２４及びコイル２５の一端をそれぞれ接地したが、開放端であっても良い。
【００２８】
以上のように構成された変形例に係る携帯型ＤＶＤプレーヤは、実施形態と同様の作用効果を奏する。
【００２９】
なお、本発明に係る実施形態及びその変形例では、携帯型ＤＶＤプレーヤについて説明しているが、携帯型ＤＶＤプレーヤに限らず、テレビ放送を受信することが可能な他の電子機器、信号を無線送受信する無線通信装置又は携帯電話機であっても良い。
【００３０】
また、本発明に係る実施形態及びその変形例では液晶ディスプレイ１４を使用しているが、本発明はこれに限らず、テレビ放送受信装置を実現することが可能な他の表示手段を使用しても良い。
【００３１】
さらに、本発明に係る実施形態及びその変形例では信号ケーブル１５によりデジタルの信号を伝送したが、本発明はこれに限らず、アナログの信号であっても良い。
【００３２】
またさらに、本発明に係る実施形態及びその変形例ではホイップアンテナ装置であるアンテナ素子１７を使用しているが、そのほかのアンテナ装置を使用しても良い。
【産業上の利用可能性】
【００３３】
以上説明したように、本発明に係る電子機器によれば、無線通信回路を備える筐体とアンテナ素子を備える筐体とを備える電子機器において、従来技術に比較して高い信号対雑音比で受信信号を受信でき、しかもアンテナ素子に接続される伝送線路を簡単に配置できる。
【図面の簡単な説明】
【００３４】
【図１】本発明の一実施形態に係る携帯型ＤＶＤプレーヤの一部破断概略斜視図である。
【図２】図１の携帯型ＤＶＤプレーヤの展開状態における右奥端部の右側面から見た縦断面図である。
【図３】図１の携帯型ＤＶＤプレーヤの電気回路の構成を示すブロック図である。
【図４】本発明の変形例に係る携帯型ＤＶＤプレーヤの展開状態における右奥端部の右側面から見た縦断面図である。
【図５】従来技術に係るノート型パソコンの一部破断概略斜視図である。
【符号の説明】
【００３５】
１０，１１…筐体、
１２…ヒンジ部、
１２ａ，１２ｂ，１２ｃ…ヒンジ円筒部、
１３…画像処理回路、
１４…液晶ディスプレイ、
１５…信号ケーブル、
１６…無線通信回路、
１７…アンテナ素子、
１８…コンデンサ、
１９…トランス、
２０…同軸ケーブル、
２１，２２…導体板、
２３，２３ａ，２３ｂ…誘電体、
２４，２５…コイル、
２６…空隙、
３１…地上波デジタルテレビジョン受信回路、
３２…フロントエンド部、
３３…バックエンド部、
３４…チューナ、
３５…ＯＦＤＭ復調器、
３６…パケットフィルタ、
３７…デコーダ回路、
３８…音声デコーダ、
３９…映像デコーダ、
４０…字幕デコーダ、
４１…スピーカ、
Ｑ…給電点。
【図１】
2007195013.tif 000003
【図２】
2007195013.tif 000004
【図３】
2007195013.tif 000005
【図４】
2007195013.tif 000006
【図５】
2007195013.tif 000007